(57)【要約】【課題】  端末が存在する地点において、複数のＷ−ＣＤＭＡ方式の通信網（通信業者）の中から最適な通信網（通信業者）を選択できる携帯端末、通信システム、通信網選択方法、及びプログラムを提供する。【解決手段】  Ｗ−ＣＤＭＡ方式の通信機能、及び、ハンドオーバ機能を有する携帯端末であって、複数の通信網から受信した報知情報、及び、予め設定された条件に基づいて、最適な通信網を選択する選択手段を有する。【選択図】  図３
2006246409.tif 000002
【特許請求の範囲】
【請求項１】
自らが在圏する位置に依存して動的に変化する通信網群の中から、使用環境及びユーザ指向に適した通信網を選択する選択手段を有することを特徴とする携帯端末。
【請求項２】
Ｗ−ＣＤＭＡ方式の通信機能、及び、ハンドオーバ機能を有する携帯端末であって、
複数の通信網から受信した報知情報、及び、予め設定された条件に基づいて、最適な通信網を選択する選択手段を有することを特徴とする携帯端末。
【請求項３】
前記選択手段は、
前記携帯端末が接続可能な通信網かどうかの判定基準となる情報を格納するUSIM（User Subscriber Identity Module）から、接続可能な通信網のPLMN（Public Land Mobile Network）を読み出し、該読み出したPLMNについて順々に受信電界レベルの測定を行う測定部と、
前記USIMに格納されたすべてのPLMNについて受信電界レベルを測定し、該受信電界レベルが所定の閾値以上のPLMNに関して、所定の通信網から報知情報を受信する受信部と、
前記報知情報が取得できたPLMNについて、予め設定された条件を満たすかどうかの判定を行う判定部と、
前記判定後、前記条件を満たすPLMNを決定する決定部と、
を有することを特徴とする請求項１又は２記載の携帯端末。
【請求項４】
前記報知情報は、前記複数の通信網毎の単位料金に関する単位料金情報、及び、前記複数の通信網毎の無線リソース状況に関する無線リソース情報のうち少なくとも１つを含むことを特徴とする請求項２又は３記載の携帯端末。
【請求項５】
前記単位料金情報及び前記無線リソース情報は、前記複数の通信網に配置される各基地局から、独立のチャンネルを使用して送信されるか、MIB（Master Information Block）に付加されて送信されるか、あるいは、スケジューリング固定にて送信されるか、のいずれかであることを特徴とする請求項４記載の携帯端末。
【請求項６】
前記最適な通信網を選択する際に優先されるべき条件として、料金、通信レート、品質のうちのいずれかが予め設定されることを特徴とする請求項２から５のいずれか１項に記載の携帯端末。
【請求項７】
前記選択手段は、前記最適な通信網を選択する際に優先されるべき条件が設定されていない場合は、ホーム網を選択することを特徴とする請求項２から６のいずれか１項に記載の携帯端末。
【請求項８】
前記優先されるべき条件として料金が設定されている場合、前記判定部は、前記報知情報から単位金額情報を取得し、該取得した単位金額情報と、前記USIMに格納されているPLMNで紐付けされたプラン表とを基にして、各通信網で自らが契約しているプランの呼種別の単位金額を算出し、前記決定部は、該算出された単位金額に基づいて前記設定された条件を満たすPLMNを決定することを特徴とする請求項３から７のいずれか１項に記載の携帯端末。
【請求項９】
前記判定部による算出の結果、複数の通信網で同じ単位金額となった場合は、前記決定部は、前記測定部にて測定した受信電界レベルが最も高いPLMNを選択することを特徴とする請求項８記載の携帯端末。
【請求項１０】
前記決定部は、非サポートとなる通信網は選択対象から除外することを特徴とする請求項８又は９記載の携帯端末。
【請求項１１】
前記優先されるべき条件として通信レートが設定されている場合、前記判定部は、前記報知情報から無線リソース情報を取得し、該無線リソース情報に含まれる、各ベアラの現在の空き回線状況と最大収容量に基づいて、発着信するベアラでのリソースを通信網毎に比較し、前記決定部は、前記比較結果に基づいて前記設定された条件を満たす通信レートのPLMNを決定することを特徴とする請求項８から１０のいずれか１項に記載の携帯端末。
【請求項１２】
前記決定部は、前記比較の対象である通信網間で現在の空き回線状況が同等であった場合、最大収容量の大きいPLMNを選択し、最大収容量も同等であった場合は前記受信電界レベルが最も高いPLMNを選択することを特徴とする請求項８から１１のいずれか１項に記載の携帯端末。
【請求項１３】
前記携帯端末が電源オン時又は待ち受け中の場合は、前記判定部は、全呼種の合計にて比較することを特徴とする請求項８から１２のいずれか１項に記載の携帯端末。
【請求項１４】
前記優先されるべき条件として品質が設定されている場合、前記判定部は、各通信網の受信電界レベルでの比較を行い、前記決定部は、通信料金や通信レートに関わらず、受信電界の良い通信網を選択することを特徴とする請求項８から１３のいずれか１項に記載の携帯端末。
【請求項１５】
前記選択手段による前記最適な通信網の選択は、前記携帯端末が、電源オン時、待ち受け中、発着信時、通信中のいずれかの状態において行われることを特徴とする請求項１から１４のいずれか１項に記載の携帯端末。
【請求項１６】
請求項１から１５のいずれか１項に記載の携帯端末が用いられることを特徴とする通信システム。
【請求項１７】
携帯端末が在圏する位置に依存して動的に変化する通信網群の中から、使用環境及びユーザ指向に適した通信網を、前記携帯端末で選択することを特徴とする通信網選択方法。
【請求項１８】
Ｗ−ＣＤＭＡ方式の通信機能、及び、ハンドオーバ機能を有する携帯端末で行われる通信網選択方法であって、
複数の通信網から受信した報知情報、及び、予め設定された条件に基づいて、最適な通信網を選択することを特徴とする通信網選択方法。
【請求項１９】
前記最適な通信網の選択は、
前記携帯端末が接続可能な通信網かどうかの判定基準となる情報を格納するUSIM（User Subscriber Identity Module）から、接続可能な通信網のPLMN（Public Land Mobile Network）を読み出し、該読み出したPLMNについて順々に受信電界レベルの測定を行い、
前記USIMに格納されたすべてのPLMNについて受信電界レベルを測定し、該受信電界レベルが所定の閾値以上のPLMNに関して、所定の通信網から報知情報を受信し、
前記報知情報が取得できたPLMNについて、予め設定された条件を満たすかどうかの判定を行い、
前記判定後、前記条件を満たすPLMNを決定することを特徴とする請求項１７又は１８記載の通信網選択方法。
【請求項２０】
前記報知情報は、前記複数の通信網毎の単位料金に関する単位料金情報、及び、前記複数の通信網毎の無線リソース状況に関する無線リソース情報のうち少なくとも１つを含むことを特徴とする請求項１８又は１９記載の通信網選択方法。
【請求項２１】
前記単位料金情報及び前記無線リソース情報は、前記複数の通信網に配置される各基地局から、独立のチャンネルを使用して送信されるか、MIB（Master Information Block）に付加されて送信されるか、あるいは、スケジューリング固定にて送信されるか、のいずれかであることを特徴とする請求項２０記載の通信網選択方法。
【請求項２２】
前記最適な通信網を選択する際に優先されるべき条件として、料金、通信レート、品質のうちのいずれかが予め設定されることを特徴とする請求項１８から２１のいずれか１項に記載の通信網選択方法。
【請求項２３】
前記最適な通信網を選択する際に優先されるべき条件が設定されていない場合は、ホーム網を選択することを特徴とする請求項１８から２２のいずれか１項に記載の通信網選択方法。
【請求項２４】
前記優先されるべき条件として料金が設定されている場合、前記報知情報から単位金額情報を取得し、該取得した単位金額情報と、前記USIMに格納されているPLMNで紐付けされたプラン表とを基にして、各通信網で自らが契約しているプランの呼種別の単位金額を算出し、該算出された単位金額に基づいて前記設定された条件を満たすPLMNを決定することを特徴とする請求項１９から２３のいずれか１項に記載の通信網選択方法。
【請求項２５】
前記単位金額の算出の結果、複数の通信網で同じ単位金額となった場合は、前記測定した受信電界レベルが最も高いPLMNを選択することを特徴とする請求項２４記載の通信網選択方法。
【請求項２６】
非サポートとなる通信網は選択対象から除外されることを特徴とする請求項２４又は２５記載の通信網選択方法。
【請求項２７】
前記優先されるべき条件として通信レートが設定されている場合、前記報知情報から無線リソース情報を取得し、該無線リソース情報に含まれる、各ベアラの現在の空き回線状況と最大収容量に基づいて、発着信するベアラでのリソースを通信網毎に比較し、前記比較結果に基づいて前記設定された条件を満たす通信レートのPLMNを決定することを特徴とする請求項２４から２６のいずれか１項に記載の通信網選択方法。
【請求項２８】
前記比較の対象である通信網間で現在の空き回線状況が同等であった場合、最大収容量の大きいPLMNを選択し、最大収容量も同等であった場合は前記受信電界レベルが最も高いPLMNを選択することを特徴とする請求項２４から２７のいずれか１項に記載の通信網選択方法。
【請求項２９】
前記携帯端末が電源オン時又は待ち受け中の場合は、全呼種の合計にて比較することを特徴とする請求項２４から２８のいずれか１項に記載の通信網選択方法。
【請求項３０】
前記優先されるべき条件として品質が設定されている場合、各通信網の受信電界レベルでの比較を行い、通信料金や通信レートに関わらず、受信電界の良い通信網を選択することを特徴とする請求項２４から２９のいずれか１項に記載の通信網選択方法。
【請求項３１】
前記最適な通信網の選択は、前記携帯端末が、電源オン時、待ち受け中、発着信時、通信中のいずれかの状態において行われることを特徴とする請求項１７から３０のいずれか１項に記載の通信網選択方法。
【請求項３２】
携帯端末が在圏する位置に依存して動的に変化する通信網群の中から、使用環境及びユーザ指向に適した通信網を選択する選択処理を携帯端末に実行させるプログラム。
【請求項３３】
Ｗ−ＣＤＭＡ方式の通信機能、及び、ハンドオーバ機能を有する携帯端末に実行させるプログラムであって、
複数の通信網から受信した報知情報、及び、予め設定された条件に基づいて、最適な通信網を選択する選択処理を携帯端末に実行させるプログラム。
【請求項３４】
前記選択処理において、
前記携帯端末が接続可能な通信網かどうかの判定基準となる情報を格納するUSIM（User Subscriber Identity Module）から、接続可能な通信網のPLMN（Public Land Mobile Network）を読み出す読み出し処理と、
前記読み出したPLMNについて順々に受信電界レベルの測定を行う測定処理と、
前記USIMに格納されたすべてのPLMNについて受信電界レベルを測定し、該受信電界レベルが所定の閾値以上のPLMNに関して、所定の通信網から報知情報を受信する受信処理と、
前記報知情報が取得できたPLMNについて、予め設定された条件を満たすかどうかの判定を行う判定処理と、
前記判定処理後、前記条件を満たすPLMNを決定する決定処理と、
を携帯端末に実行させる請求項３２又は３３記載のプログラム。
【請求項３５】
前記報知情報に含まれる、前記複数の通信網毎の単位料金に関する単位料金情報、及び、前記複数の通信網毎の無線リソース状況に関する無線リソース情報のうち少なくとも１つを用いることにより、前記判定処理を携帯端末に実行させる請求項３３又は３４記載のプログラム。
【請求項３６】
前記複数の通信網に配置される各基地局から、独立のチャンネルを使用して送信されるか、MIB（Master Information Block）に付加されて送信されるか、あるいは、スケジューリング固定にて送信されるか、のいずれかの方法で送信された、前記単位料金情報及び前記無線リソース情報を用いることにより、前記判定処理を携帯端末に実行させる請求項３５記載のプログラム。
【請求項３７】
前記最適な通信網を選択する際に優先されるべき条件として、料金、通信レート、品質のうちのいずれかを予め設定する処理を携帯端末に実行させる請求項３３から３６のいずれか１項に記載のプログラム。
【請求項３８】
前記最適な通信網を選択する際に優先されるべき条件が設定されていない場合は、前記決定処理にてホーム網を選択する処理を携帯端末に実行させる請求項３３から３７のいずれか１項に記載のプログラム。
【請求項３９】
前記優先されるべき条件として料金が設定されている場合、前記判定処理にて、前記報知情報から単位金額情報を取得し、該取得した単位金額情報と、前記USIMに格納されているPLMNで紐付けされたプラン表とを基にして、各通信網で自らが契約しているプランの呼種別の単位金額を算出し、前記決定処理にて、該算出された単位金額に基づいて前記設定された条件を満たすPLMNを決定することを携帯端末に実行させる請求項３３から３８のいずれか１項に記載のプログラム。
【請求項４０】
前記判定処理にて前記単位金額の算出の結果、複数の通信網で同じ単位金額となった場合は、前記決定処理にて、前記測定した受信電界レベルが最も高いPLMNを選択することを携帯端末に実行させる請求項３９記載のプログラム。
【請求項４１】
前記決定処理にて、非サポートとなる通信網を選択対象から除外することを携帯端末に実行させる請求項３９又は４０記載のプログラム。
【請求項４２】
前記優先されるべき条件として通信レートが設定されている場合、前記判定処理にて、前記報知情報から無線リソース情報を取得し、該無線リソース情報に含まれる、各ベアラの現在の空き回線状況と最大収容量に基づいて、発着信するベアラでのリソースを通信網毎に比較し、前記決定処理にて、前記比較結果に基づいて前記設定された条件を満たす通信レートのPLMNを決定することを携帯端末に実行させる請求項３９から４１のいずれか１項に記載のプログラム。
【請求項４３】
前記比較の対象である通信網間で現在の空き回線状況が同等であった場合、前記決定処理にて、最大収容量の大きいPLMNを選択し、最大収容量も同等であった場合は前記受信電界レベルが最も高いPLMNを選択することを携帯端末に実行させる請求項３９から４２のいずれか１項に記載のプログラム。
【請求項４４】
前記携帯端末が電源オン時又は待ち受け中の場合は、前記判定処理にて全呼種の合計にて比較することを携帯端末に実行させる請求項３９から４３のいずれか１項に記載のプログラム。
【請求項４５】
前記優先されるべき条件として品質が設定されている場合、前記判定処理にて、各通信網の受信電界レベルでの比較を行い、前記決定処理にて、通信料金や通信レートに関わらず、受信電界の良い通信網を選択することを携帯端末に実行させる請求項３９から４４のいずれか１項に記載のプログラム。
【請求項４６】
前記携帯端末が、電源オン時、待ち受け中、発着信時、通信中のいずれかの状態において、前記選択処理を携帯端末に実行させる請求項３３から４５のいずれか１項に記載のプログラム。
【発明の詳細な説明】
【技術分野】
【０００１】
本発明は、Ｗ−ＣＤＭＡ方式の通信サービスにおいて、複数の通信網から最適な通信網を選択する携帯端末、通信システム、通信網選択方法、及びプログラムに関する。
【背景技術】
【０００２】
従来、Ｗ−ＣＤＭＡ方式の携帯端末において、サービスが提供される通信網は固定されているか、もしくは、端末の電源オン時にユーザが手動で通信網を選択する方法が主流になっている。また、電源オン状態のまま、もしくは通信中に、通信網を切り替えが可能な端末の場合も、受信電界レベルでの判定による切り替え方法になっている。
【０００３】
一方、このようなＷ−ＣＤＭＡ方式の携帯端末ではローミング対応化が進められており、同一端末に対して多事業者間でのサービスの提供が可能となってきている。しかしながら、各事業者が提供している通信網において、それぞれの料金体系やサービスカバーエリア範囲が異なっていた場合、ユーザが望む最適な通信環境を満足する選択肢は各エリアでばらばらであるので、ユーザが最適な通信網（通信業者）を選択することは非常に難しい状況となる。
【０００４】
通信サービスの選択に係る従来技術例として、ＩＳＰ（Internet Service Provider：インターネットサービスプロバイダ）情報提供装置にて、利用者の指定する条件に基づいて、条件に該当するインターネットサービスプロバイダの情報（ＩＳＰ情報）を抽出し、利用者の端末へ送信する「通信業者情報提供方法」がある（例えば、特許文献１参照）。
【特許文献１】特開２００２−２９７９６１号公報
【発明の開示】
【発明が解決しようとする課題】
【０００５】
上記特許文献１記載の発明は、各ＩＳＰ情報を端末へ送信するためのＩＳＰ情報提供装置を備える必要がある。しかしながら、このＩＳＰ情報提供装置から各ＩＳＰ情報を得ることができたとしても、実際にそのＩＳＰの通信網に接続可能かどうかは、実際の基地局配置とは別に、端末が現在存在している地点での電波状況による。よって、特許文献１記載のＩＳＰ情報提供装置は、端末が現在存在している地点で接続可能なＩＳＰ情報のみを集めることはできない。また、特許文献１記載のＩＳＰ情報提供装置は、ＩＳＰ情報を受信した端末が、そのＩＳＰ情報を基に現地点で接続可能かどうかを判定することはできない。その理由は、この接続可否の判定を行うためには、各ＩＳＰ情報が通信網毎に端末へ送信される必要があるが、上記特許文献１記載の発明では、ＩＳＰ情報提供装置がＩＳＰ情報を一括して保持しているため、各通信網から直接端末へ送信できないからである。
【０００６】
本発明は、上記事情に鑑みてなされたものであり、ユーザにより指定された通信条件について判定を行い、端末が存在する地点において、複数のＷ−ＣＤＭＡ方式の通信網（通信業者）の中から最適な通信網（通信業者）を選択できる携帯端末、通信システム、通信網選択方法、及びプログラムを提供することを目的とする。
【課題を解決するための手段】
【０００７】
かかる目的を達成するために、請求項１記載の発明は、自らが在圏する位置に依存して動的に変化する通信網群の中から、使用環境及びユーザ指向に適した通信網を選択する選択手段を有することを特徴とする。
【０００８】
請求項２記載の発明は、Ｗ−ＣＤＭＡ方式の通信機能、及び、ハンドオーバ機能を有する携帯端末であって、複数の通信網から受信した報知情報、及び、予め設定された条件に基づいて、最適な通信網を選択する選択手段を有することを特徴とする。
【０００９】
請求項３記載の発明は、請求項１又は２記載の発明において、選択手段は、携帯端末が接続可能な通信網かどうかの判定基準となる情報を格納するUSIM（User Subscriber Identity Module）から、接続可能な通信網のPLMN（Public Land Mobile Network）を読み出し、読み出したPLMNについて順々に受信電界レベルの測定を行う測定部と、USIMに格納されたすべてのPLMNについて受信電界レベルを測定し、受信電界レベルが所定の閾値以上のPLMNに関して、所定の通信網から報知情報を受信する受信部と、報知情報が取得できたPLMNについて、予め設定された条件を満たすかどうかの判定を行う判定部と、判定後、条件を満たすPLMNを決定する決定部と、を有することを特徴とする。
【００１０】
請求項４記載の発明は、請求項２又は３記載の発明において、報知情報は、複数の通信網毎の単位料金に関する単位料金情報、及び、複数の通信網毎の無線リソース状況に関する無線リソース情報のうち少なくとも１つを含むことを特徴とする。
【００１１】
請求項５記載の発明は、請求項４記載の発明において、単位料金情報及び無線リソース情報は、複数の通信網に配置される各基地局から、独立のチャンネルを使用して送信されるか、MIB（Master Information Block）に付加されて送信されるか、あるいは、スケジューリング固定にて送信されるか、のいずれかであることを特徴とする。
【００１２】
請求項６記載の発明は、請求項２から５のいずれか１項に記載の発明において、最適な通信網を選択する際に優先されるべき条件として、料金、通信レート、品質のうちのいずれかが予め設定されることを特徴とする。
【００１３】
請求項７記載の発明は、請求項２から６のいずれか１項に記載の発明において、選択手段は、最適な通信網を選択する際に優先されるべき条件が設定されていない場合は、ホーム網を選択することを特徴とする。
【００１４】
請求項８記載の発明は、請求項３から５のいずれか１項に記載の発明において、優先されるべき条件として料金が設定されている場合、判定部は、報知情報から単位金額情報を取得し、取得した単位金額情報と、USIMに格納されているPLMNで紐付けされたプラン表とを基にして、各通信網で自らが契約しているプランの呼種別の単位金額を算出し、決定部は、算出された単位金額に基づいて設定された条件を満たすPLMNを決定することを特徴とする。
【００１５】
請求項９記載の発明は、請求項８記載の発明において、判定部による算出の結果、複数の通信網で同じ単位金額となった場合は、決定部は、測定部にて測定した受信電界レベルが最も高いPLMNを選択することを特徴とする。
【００１６】
請求項１０記載の発明は、請求項８又は９記載の発明において、決定部は、非サポートとなる通信網は選択対象から除外することを特徴とする。
【００１７】
請求項１１記載の発明は、請求項８から１０のいずれか１項に記載の発明において、優先されるべき条件として通信レートが設定されている場合、判定部は、報知情報から無線リソース情報を取得し、無線リソース情報に含まれる、各ベアラの現在の空き回線状況と最大収容量に基づいて、発着信するベアラでのリソースを通信網毎に比較し、決定部は、比較結果に基づいて設定された条件を満たす通信レートのPLMNを決定することを特徴とする。
【００１８】
請求項１２記載の発明は、請求項８から１１のいずれか１項に記載の発明において、決定部は、比較の対象である通信網間で現在の空き回線状況が同等であった場合、最大収容量の大きいPLMNを選択し、最大収容量も同等であった場合は受信電界レベルが最も高いPLMNを選択することを特徴とする。
【００１９】
請求項１３記載の発明は、請求項８から１２のいずれか１項に記載の発明において、携帯端末が電源オン時又は待ち受け中の場合は、判定部は、全呼種の合計にて比較することを特徴とする。
【００２０】
請求項１４記載の発明は、請求項８から１３のいずれか１項に記載の発明において、優先されるべき条件として品質が設定されている場合、判定部は、各通信網の受信電界レベルでの比較を行い、決定部は、通信料金や通信レートに関わらず、受信電界の良い通信網を選択することを特徴とする。
【００２１】
請求項１５記載の発明は、請求項１から１４のいずれか１項に記載の発明において、選択手段による最適な通信網の選択は、携帯端末が、電源オン時、待ち受け中、発着信時、通信中のいずれかの状態において行われることを特徴とする。
【００２２】
請求項１６記載の発明は、請求項１から１５のいずれか１項に記載の携帯端末が用いられることを特徴とする。
【００２３】
請求項１７記載の発明は、携帯端末が在圏する位置に依存して動的に変化する通信網群の中から、使用環境及びユーザ指向に適した通信網を、携帯端末で選択することを特徴とする。
【００２４】
請求項１８記載の発明は、Ｗ−ＣＤＭＡ方式の通信機能、及び、ハンドオーバ機能を有する携帯端末で行われる通信網選択方法であって、複数の通信網から受信した報知情報、及び、予め設定された条件に基づいて、最適な通信網を選択することを特徴とする。
【００２５】
請求項１９記載の発明は、請求項１７又は１８記載の発明において、最適な通信網の選択は、携帯端末が接続可能な通信網かどうかの判定基準となる情報を格納するUSIM（User Subscriber Identity Module）から、接続可能な通信網のPLMN（Public Land Mobile Network）を読み出し、読み出したPLMNについて順々に受信電界レベルの測定を行い、USIMに格納されたすべてのPLMNについて受信電界レベルを測定し、受信電界レベルが所定の閾値以上のPLMNに関して、所定の通信網から報知情報を受信し、報知情報が取得できたPLMNについて、予め設定された条件を満たすかどうかの判定を行い、判定後、条件を満たすPLMNを決定することを特徴とする。
【００２６】
請求項２０記載の発明は、請求項１８又は１９記載の発明において、報知情報は、複数の通信網毎の単位料金に関する単位料金情報、及び、複数の通信網毎の無線リソース状況に関する無線リソース情報のうち少なくとも１つを含むことを特徴とする。
【００２７】
請求項２１記載の発明は、請求項２０記載の発明において、単位料金情報及び無線リソース情報は、複数の通信網に配置される各基地局から、独立のチャンネルを使用して送信されるか、MIB（Master Information Block）に付加されて送信されるか、あるいは、スケジューリング固定にて送信されるか、のいずれかであることを特徴とする。
【００２８】
請求項２２記載の発明は、請求項１８から２１のいずれか１項に記載の発明において、最適な通信網を選択する際に優先されるべき条件として、料金、通信レート、品質のうちのいずれかが予め設定されることを特徴とする。
【００２９】
請求項２３記載の発明は、請求項１８から２２のいずれか１項に記載の発明において、最適な通信網を選択する際に優先されるべき条件が設定されていない場合は、ホーム網を選択することを特徴とする。
【００３０】
請求項２４記載の発明は、請求項１９から２３のいずれか１項に記載の発明において、優先されるべき条件として料金が設定されている場合、報知情報から単位金額情報を取得し、取得した単位金額情報と、USIMに格納されているPLMNで紐付けされたプラン表とを基にして、各通信網で自らが契約しているプランの呼種別の単位金額を算出し、算出された単位金額に基づいて設定された条件を満たすPLMNを決定することを特徴とする。
【００３１】
請求項２５記載の発明は、請求項２４記載の発明において、単位金額の算出の結果、複数の通信網で同じ単位金額となった場合は、測定した受信電界レベルが最も高いPLMNを選択することを特徴とする。
【００３２】
請求項２６記載の発明は、請求項２４又は２５記載の発明において、非サポートとなる通信網は選択対象から除外されることを特徴とする。
【００３３】
請求項２７記載の発明は、請求項２４から２６のいずれか１項に記載の発明において、優先されるべき条件として通信レートが設定されている場合、報知情報から無線リソース情報を取得し、無線リソース情報に含まれる、各ベアラの現在の空き回線状況と最大収容量に基づいて、発着信するベアラでのリソースを通信網毎に比較し、比較結果に基づいて設定された条件を満たす通信レートのPLMNを決定することを特徴とする。
【００３４】
請求項２８記載の発明は、請求項２４から２７のいずれか１項に記載の発明において、比較の対象である通信網間で現在の空き回線状況が同等であった場合、最大収容量の大きいPLMNを選択し、最大収容量も同等であった場合は受信電界レベルが最も高いPLMNを選択することを特徴とする。
【００３５】
請求項２９記載の発明は、請求項２４から２８のいずれか１項に記載の発明において、携帯端末が電源オン時又は待ち受け中の場合は、全呼種の合計にて比較することを特徴とする。
【００３６】
請求項３０記載の発明は、請求項２４から２９のいずれか１項に記載の発明において、優先されるべき条件として品質が設定されている場合、各通信網の受信電界レベルでの比較を行い、通信料金や通信レートに関わらず、受信電界の良い通信網を選択することを特徴とする。
【００３７】
請求項３１記載の発明は、請求項１７から３０のいずれか１項に記載の発明において、最適な通信網の選択は、携帯端末が、電源オン時、待ち受け中、発着信時、通信中のいずれかの状態において行われることを特徴とする。
【００３８】
請求項３２記載の発明は、携帯端末が在圏する位置に依存して動的に変化する通信網群の中から、使用環境及びユーザ指向に適した通信網を選択する選択処理を携帯端末に実行させる。
【００３９】
請求項３３記載の発明は、Ｗ−ＣＤＭＡ方式の通信機能、及び、ハンドオーバ機能を有する携帯端末に実行させるプログラムであって、複数の通信網から受信した報知情報、及び、予め設定された条件に基づいて、最適な通信網を選択する選択処理を携帯端末に実行させる。
【００４０】
請求項３４記載の発明は、請求項３２又は３３記載の発明において、選択処理にて、携帯端末が接続可能な通信網かどうかの判定基準となる情報を格納するUSIM（User Subscriber Identity Module）から、接続可能な通信網のPLMN（Public Land Mobile Network）を読み出す読み出し処理と、読み出したPLMNについて順々に受信電界レベルの測定を行う測定処理と、USIMに格納されたすべてのPLMNについて受信電界レベルを測定し、受信電界レベルが所定の閾値以上のPLMNに関して、所定の通信網から報知情報を受信する受信処理と、報知情報が取得できたPLMNについて、予め設定された条件を満たすかどうかの判定を行う判定処理と、判定処理後、条件を満たすPLMNを決定する決定処理と、を携帯端末に実行させる。
【００４１】
請求項３５記載の発明は、請求項３３又は３４記載の発明において、報知情報に含まれる、複数の通信網毎の単位料金に関する単位料金情報、及び、複数の通信網毎の無線リソース状況に関する無線リソース情報のうち少なくとも１つを用いることにより、判定処理を携帯端末に実行させる。
【００４２】
請求項３６記載の発明は、請求項３５記載の発明において、複数の通信網に配置される各基地局から、独立のチャンネルを使用して送信されるか、MIB（Master Information Block）に付加されて送信されるか、あるいは、スケジューリング固定にて送信されるか、のいずれかの方法で送信された、単位料金情報及び無線リソース情報を用いることにより、判定処理を携帯端末に実行させる。
【００４３】
請求項３７記載の発明は、請求項３３から３６のいずれか１項に記載の発明において、最適な通信網を選択する際に優先されるべき条件として、料金、通信レート、品質のうちのいずれかを予め設定する処理を携帯端末に実行させる。
【００４４】
請求項３８記載の発明は、請求項３３から３７のいずれか１項に記載の発明において、最適な通信網を選択する際に優先されるべき条件が設定されていない場合は、決定処理にてホーム網を選択する処理を携帯端末に実行させる。
【００４５】
請求項３９記載の発明は、請求項３３から３８のいずれか１項に記載の発明において、優先されるべき条件として料金が設定されている場合、判定処理にて、報知情報から単位金額情報を取得し、取得した単位金額情報と、USIMに格納されているPLMNで紐付けされたプラン表とを基にして、各通信網で自らが契約しているプランの呼種別の単位金額を算出し、決定処理にて、算出された単位金額に基づいて設定された条件を満たすPLMNを決定することを携帯端末に実行させる。
【００４６】
請求項４０記載の発明は、請求項３９記載の発明において、判定処理にて単位金額の算出の結果、複数の通信網で同じ単位金額となった場合は、決定処理にて、測定した受信電界レベルが最も高いPLMNを選択することを携帯端末に実行させる請求項３９記載のプログラム。
【００４７】
請求項４１記載の発明は、請求項３９又は４０記載の発明において、決定処理にて、非サポートとなる通信網を選択対象から除外することを携帯端末に実行させる。
【００４８】
請求項４２記載の発明は、請求項３９から４１のいずれか１項に記載の発明において、優先されるべき条件として通信レートが設定されている場合、判定処理にて、報知情報から無線リソース情報を取得し、無線リソース情報に含まれる、各ベアラの現在の空き回線状況と最大収容量に基づいて、発着信するベアラでのリソースを通信網毎に比較し、決定処理にて、比較結果に基づいて設定された条件を満たす通信レートのPLMNを決定することを携帯端末に実行させる。
【００４９】
請求項４３記載の発明は、請求項３９から４２のいずれか１項に記載の発明において、比較の対象である通信網間で現在の空き回線状況が同等であった場合、決定処理にて、最大収容量の大きいPLMNを選択し、最大収容量も同等であった場合は受信電界レベルが最も高いPLMNを選択することを携帯端末に実行させる。
【００５０】
請求項４４記載の発明は、請求項３９から４３のいずれか１項に記載の発明において、携帯端末が電源オン時又は待ち受け中の場合は、判定処理にて全呼種の合計にて比較することを携帯端末に実行させる。
【００５１】
請求項４５記載の発明は、請求項３９から４４のいずれか１項に記載の発明において、優先されるべき条件として品質が設定されている場合、判定処理にて、各通信網の受信電界レベルでの比較を行い、決定処理にて、通信料金や通信レートに関わらず、受信電界の良い通信網を選択することを携帯端末に実行させる。
【００５２】
請求項４６記載の発明は、請求項３９から４５のいずれか１項に記載の発明において、携帯端末が、電源オン時、待ち受け中、発着信時、通信中のいずれかの状態において、選択処理を携帯端末に実行させる。
【発明の効果】
【００５３】
本発明によれば、端末の使用環境及びユーザの指向に適した通信網を選択することが可能となる。
【発明を実施するための最良の形態】
【００５４】
以下、本発明を実施するための最良の形態について添付図面を参照して詳細に説明する。
【実施例】
【００５５】
〈実施例の概要〉
本発明の一実施例である通信システムにおいては、各事業者が提供しているＷ−ＣＤＭＡ方式の通信網で使用されるブロードキャストチャンネル（Broad Cast Channel）の報知情報に、各事業者での単位料金（例えば、ＣＳ呼：単位時間あたり、ＰＳ呼：１パケットあたり）の情報及び無線リソース状況の情報が付加されて携帯端末へ送信される。
【００５６】
また、本発明の一実施例である携帯端末は、ユーザにより設定された選択モード（料金優先、レート優先、品質優先など）に基づいて、受信した報知情報から選択すべき通信網の判定を行うことにより、ユーザの指定した条件を満たすように各エリアでの最適な通信網の選択が可能となり、通信中の移動の場合でも、予め設定された選択モードに基づいて、最適な通信網の選択及び切り替えが可能である。
【００５７】
〈実施例の構成〉
本実施例の通信システムの構成を図１に示す。
本実施例の通信システムは、複数の通信網と、移動局とがネットワークで接続されて構成される。図１において、異なる事業者が提供する通信網としてＡ，Ｂ，Ｃの３つを示しているが、各通信網Ａ，Ｂ，Ｃの基本的な構成は同じである。
【００５８】
コアネットワーク１Ａ，１Ｂ，１Ｃはそれぞれ、回線交換機能、パケット交換機能等を有し、かつ、位置登録機能や課金機能を含むネットワークである。各コアネットワーク１Ａ，１Ｂ，１Ｃは、外部のネットワークである有線網や移動通信網に接続されている。また、コアネットワーク１Ａ，１Ｂ，１Ｃは、自通信網内の複数の無線呼制御局２Ａ，２Ｂ，２Ｃにそれぞれ接続されており、各無線呼制御局２Ａ，２Ｂ，２Ｃに自通信網内の単位料金情報を送信する。
【００５９】
無線呼制御局２Ａ，２Ｂ，２Ｃは、複数の基地局３Ａ，３Ｂ，３Ｃとそれぞれ接続されており、基地局３Ａ，３Ｂ，３Ｃと、携帯通信端末等の移動局４との各接続の制御（呼制御）及び管理を行っている。また、無線呼制御局２Ａ，２Ｂ，２Ｃは、現在の呼制御状態から無線リソース情報を算出し、基地局３Ａ，３Ｂ，３Ｃに定期的に送信する。
【００６０】
基地局３Ａ，３Ｂ，３Ｃは、実際に移動局４との無線通信を行い、無線通信における送信パワー制御等を行っている。また、基地局３Ａ，３Ｂ，３Ｃは、電波レベルを検出するためのパイロット情報や全移動局に通信される報知情報などをそれぞれ送信する。これらの電波レベルが届く範囲を１つの単位として、図２に示すように各サービスエリア（セル）を形成している。
【００６１】
移動局４は、通信網Ａ，Ｂ，Ｃそれぞれに対して同様に接続（利用）可能な携帯端末であり、通信網Ａ，Ｂ，Ｃ間でハンドオーバ可能な携帯端末である。この移動局４は、携帯電話機、ＰＤＡ、パーソナルコンピュータ等、Ｗ−ＣＤＭＡ方式の通信機能（ＷＥＢサーバへの接続機能、メール送受信機能）を備えており、その構成は従来一般的に使用されているものである。例えば、携帯電話機の場合であれば、アンテナを介して無線通信基地局との間で無線信号を送受する無線部、テキストや画像などの表示情報出力を行う表示部、各種情報入力を行うテンキー部、スクロール／決定キー等から構成される操作部、音声信号処理を行う音声処理部への入出力を行うマイク（送話部）およびスピーカ（受話部）、楽音や報知音等を出力するスピーカ（報音部）と、電話帳情報、送受信メール情報、発着呼情報、携帯電話端末の各種設定、プログラム情報などを格納するメモリ、プログラムの読み出しにより、電話機能、ＷＥＢ接続機能、メール送受信などの端末各部の制御を行い、プログラムに基づいた処理を行う制御部、等を有する。なお、本実施例の制御部は、受信電界レベルを測定する測定機能、報知情報を受信する受信機能、報知情報・受信レベル・設定条件に基づいて判定を行う判定機能、判定結果に基づき通信網を決定する決定機能を有し、これらの機能をプログラム制御にて実行することにより、最適な通信網を選択する選択手段として機能する。
【００６２】
ここで、各通信網のサービスエリアと移動局との位置関係によりその地点で移動局がサービスを受けられる通信網について図２を参照して説明する。
図２に示すように、移動局２４１は基地局３Ａ及び基地局３Ｃの両方に接続可能であり、通信網Ａ及び通信網Ｃのサービスを受けることができる。移動局２４２は基地局３Ａ，３Ｂ，３Ｃのそれぞれに接続可能であり、通信網Ａ，Ｂ，Ｃからのサービスを受けることが可能である。移動局２４３では接続可能な基地局は基地局３Ｂのみであり、そのエリアでは通信網Ｂのサービスのみとなる。本実施例では、移動局は自らが在圏する位置（エリア）に依存して動的に変化するこれらのサービス可能な通信網群の中から、使用環境及びユーザ指向に適した通信網を選ぶことが可能である。
【００６３】
一般に、Ｗ−ＣＤＭＡ方式の通信網は、図１において、基地局３よりサービスエリア内のすべての移動局４に対して、システム情報及び接続に必要な情報などが報知情報（BCH：Broadcast Channelのデータ）としてブロードキャストされている。本実施例では、各コアネットワーク１より各無線呼制御局２経由で通知される、自通信網での通信呼種（音声、ＴＶ電話、パケットなど）毎の単位料金情報と、各無線呼制御局２にて算出され、通知される、無線リソース情報とが報知情報に付加されて各基地局３よりエリア内の全移動局４にブロードキャストされる。
【００６４】
各コアネットワーク１より通知される単位料金情報は、ＣＳ呼の場合それぞれ呼種（音声通信、ＴＶ電話）や通信レート（64k、32k）などで規定される料金の単位時間（例、１分）あたりの金額が通知される。また、ＰＳ呼では１パケットあたりの単位金額といったデータが通知される。
【００６５】
各無線呼制御局２は、定期的に移動局４の接続状況を確認し、確認時点の呼情報から無線リソースの使用量を算出し、利用可能な無線リソースと、無線リソースの最大値（最大収容量）とを無線リソース情報として各基地局へ通知する。
【００６６】
そして、報知情報に付加された単位料金情報及び無線リソース情報は、移動局が接続する通信網を決定するために使用されるので、この報知情報（単位料金情報及び無線リソース情報を含む）を移動局にて取り込むための手段としては、可能な限り短い時間で処理が完了する必要がある。よって、本実施例における報知情報は、従来の報知情報の送信に使用されるBCHとは別（独立）のチャンネル（Channel）を使用して送信されるか、もしくは従来のBCHで送信する場合は、移動局に真っ先に取得されるMIB（Master Information Block：通信網のPLMNなど、基本情報やその他の情報の送信スケジュールが格納されている情報要素）に付加されて送信される。あるいは、MIBに付加しない場合は、スケジューリング固定にて送信する方法等で送信される。以上のいずれかによって、移動局にて迅速な報知情報の取り込みを行い、通信網の選択判定を実現する。このように、本実施例の通信システムは、Ｗ−ＣＤＭＡ方式の通信網間における構成となっており、Ｗ−ＣＤＭＡ方式における報知情報の通達方法の提供を含むことを特徴とする。
【００６７】
移動局４は、最適な通信網を選択して切り替える最適化機能を有しており、最適化機能がオンの設定時には、通信で優先されるべきモード（条件・指向）が設定可能である。例えば下記のようなモードがユーザにより選択可能になっている。
（１）料金優先
（２）通信レート優先
（３）品質優先
【００６８】
移動局４は、接続可能な各通信網Ａ，Ｂ，Ｃの基地局３より送信される、報知情報及び受信レベルに基づいて、設定されたモードに対応した判定を行い、現在接続可能な通信網の中から最適な通信網を選択する。最適化機能がオフの場合はHome網（HPLMN：Home Public Land Mobile Network）が優先されて接続される。
【００６９】
〈実施例の動作〉
最適化機能がオンの場合における、移動局４の判定動作の例を図３に示す。なお、本実施例の移動局４（携帯端末）は、プログラム制御により以下に説明する処理を実行する。この処理を行うための制御プログラムは、工場での製造時における端末自体への格納、ネットワークを介してのダウンロード、記録媒体からの読み込み、等のいずれでもよい。
【００７０】
移動局４が接続可能な通信網かどうかの基準となる情報は、移動局４内のUSIM（User Subscriber Identity Module）に格納されているため、移動局４はまず、このUSIMより自らが接続可能な通信網のPLMN（Public Land Mobile Network）を読み出し（ステップＳ１）、読み出したPLMNについて順々に受信電界レベルの測定を行う。なお、PLMNは国番号と事業者番号とから構成され、各事業者（通信網）の識別子の役割を持っている。
【００７１】
受信電界レベル測定に関しては、例えばRSCP（Received Signal Code Power：共通パイロットチャネル（CPICH）での信号電力）等の測定を行う。受信電界レベル測定後、受信電界レベルが所定の閾値以上のPLMNに関して報知情報の受信を行う（ステップＳ２／ＹＥＳ〜ステップＳ３）。ここでの報知情報は、PLMNを選択するための判定に関する情報（単位料金情報及び無線リソース情報）のみの取得を意味する。
【００７２】
以上の動作をUSIMに格納されたすべてのPLMNについて行い（ステップＳ４／ＹＥＳ）、報知情報が取得できたPLMNに対し、ユーザにより予め設定されたモードで判定を行う（ステップＳ５）。モード判定後、移動局４は１つのPLMN、つまり通信網を決定する（ステップＳ６）。
【００７３】
この通信網の選択は、例えば移動局が次のような状態時に実行される。
・電源オン時
・待ち受け中（定期的な実行）
・発着信時(接続前)
・通信中（定期的な実行）
【００７４】
次に各モードでの判定例を示す。
（１）料金優先
料金優先モードの場合、移動局４は各通信網の基地局３が送信する報知情報から単位金額情報を取得する。取得した単位金額情報と、USIMに保存されているPLMNで紐付けされたプラン表とを基にして、各通信網で自らが契約しているプランの呼種別の単位金額を算出する（図４参照）。料金優先モードの実行は、主に発着信時（接続前）及び通信中に行われ、通信呼種にて各通信網の単位金額を比較し、接続する通信網を決定する。例えば、発信（通信）呼種が音声通信（レート１）だった場合、図４に示すように、各通信網での１分間あたりの単位金額は通信網Ａ及びＢで１０、通信網Ｃで１５となるため、通信網ＡもしくはＢが候補になる。
【００７５】
ここで、図４に示すように、通信網Ｂでは音声通信のレートに依らず一定料金もしくはレート固定サービスとなっている。複数の通信網で同じ単位金額となった場合は、移動局４は、モード判定前に測定した各通信網の受信電界レベルが最も高いものを選択する。また、通信網ＣのＴＶ電話通信のように、非サポートとなる通信網は比較対象から除外する。このような比較を行うことにより、通信を行う呼種毎に最適な通信網の選択が可能となる。
【００７６】
また、料金優先モードの適用が電源オン時や待ち受け中の場合は、全呼種のトータル計算、例えば、１分間でのデータ量（レート×１分間）から１分間でのパケット料金換算し、全呼種の合計金額を算出する計算を行い、そのトータル計算値（Ａ，Ｂ，Ｃ）にて各通信網を比較し、待ち受け先（登録先）となる通信網を決定する。
【００７７】
（２）通信レート優先
通信レート優先モードの場合、移動局４は各通信網の基地局３が送信する報知情報から無線リソース情報を取得する。無線リソース情報として提供される情報は、各ベアラ（もしくはレートも含む）毎の現在の空き回線状況と最大収容量である。移動局４は、発信（着信）するベアラでのリソースを通信網毎に比較し、より高レートの使用が可能な通信網を選択する。また、比較している通信網間で現在の空き回線状況が同等であった場合は、最大収容量の大きい通信網を選択することで、より高レートを使用できる可能性が高くなる。最大収容量も同等であった場合は、受信電界レベルが最も高いものを選択する。
【００７８】
また、通信レート優先モードの適用が電源オン時や待ち受け中の場合は、全呼種の合計にて比較し、待ち受け先（登録先）通信網を決定する。
【００７９】
（３）品質優先
品質優先モードでは各通信網の受信電界レベル（CPICHのRSCPなど）での比較を行い、通信料金や通信レート(通信パフォーマンス)に関わらず、より受信電界の良い通信網を選択する。これにより、安定した通信が可能になる。
【００８０】
以上の動作により、移動局４はエリア毎に使用環境に応じた最適な通信網の自動選択を実現する。
【００８１】
以上、本発明の実施例によれば、複数の事業者間で接続が可能な通信システム及び携帯端末において、報知情報として送信されるデータに、各事業者での単位料金（例ＣＳ呼：単位時間あたり、ＰＳ呼：１パケットあたり）及び無線リソース状況の情報が付加されることにより、ユーザの希望に対応した最適な通信網の選択が、エリア毎かつリアルタイムで実現可能となる。
【００８２】
より詳細には、単位料金情報に基づいた判定により、低コストな通信網を選択可能な、Ｗ−ＣＤＭＡ方式の携帯端末が実現可能となる。
【００８３】
また、無線リソース情報に基づいた判定により、高レートな通信ができる通信網を選択することが可能な、Ｗ−ＣＤＭＡ方式の携帯端末が実現可能となる。
【００８４】
また、ベアラ別の単位金額を報知情報として送信可能な、Ｗ−ＣＤＭＡ方式の通信システムが実現可能となる。
【００８５】
また、現在の呼接続状況から無線リソースの算出が可能であり、かつ、算出されたベアラ毎の無線リソースを報知情報として送信可能な、Ｗ−ＣＤＭＡ方式の通信システムが実現可能となる。
【００８６】
以上、本発明の実施例について説明したが、上記実施例に限定されるものではなく、その要旨を逸脱しない範囲において種々の変形が可能である。
【産業上の利用可能性】
【００８７】
本発明は、Ｗ−ＣＤＭＡ方式の情報処理通信端末および通信網に適用できる。
【図面の簡単な説明】
【００８８】
【図１】本発明の一実施例である通信システムの全体構成を模式的に示す図である。
【図２】本発明の一実施例である通信システムに係り、各サービスエリアと各移動局との関係を模式的に示す図である。
【図３】本発明の一実施例である携帯端末のPLMN選択動作を示すフローチャートである。
【図４】本発明の一実施例である携帯端末の動作に係り、料金優先モードの判定の一例を示す表である。
【符号の説明】
【００８９】
Ａ、Ｂ、Ｃ    通信網（網）
１Ａ、１Ｂ、１Ｃ    コアネットワーク
２Ａ、２Ｂ、２Ｃ    無線呼制御局
３Ａ、３Ｂ、３Ｃ    基地局
４、２４１、２４２、２４３    移動局（携帯端末）
【図１】
2006246409.tif 000003
【図２】
2006246409.tif 000004
【図３】
2006246409.tif 000005
【図４】
2006246409.tif 000006